(57)【要約】【課題】本発明は上記問題点を解決するために成されたものであり、光電変換素子の静電破壊を防止することができると共に、導電体を任意の電圧に設定することができる、光電変換基板、放射線検出器、及び放射線画像撮影装置を提供する。【解決手段】基板１上に形成されたＴＦＴスイッチ４及びセンサ部１０３の上面が平坦化層１８により平坦化されており、当該平坦化層１８の略全面に帯電防止機能を有する導電膜３０が形成されている。導電膜３０は、接続配線５２と一体的に形成されており、切替部５４に接続されている。また、切替部５４は、制御装置１０６から入力される制御信号に応じて、接続配線５２の接続先を、バイアス電源１１０、内部電源５６、及びグランドのいずれかに切り替える。光電変換基板６０の上には、シンチレータ７０が形成されており、シンチレータ７０は、光電変換基板６０に近い方から非柱状部７１及び柱状部７２を備えている。【選択図】図１
2013065825.tif 000002
【特許請求の範囲】
【請求項１】
基板上に形成されたスイッチング素子、及び前記スイッチング素子により照射された光に応じて発生した電荷が読み出される光電変換素子を含むセンサ部を各々備えた複数の画素と、
前記スイッチング素子及び前記センサ部が設けられた前記基板の表面を平坦化する平坦化層と、
前記平坦化層上の全面に形成され、かつ、印加される電圧が予め定められた電圧に切り替えられる導電体と、
を備えた光電変換基板。
【請求項２】
前記予め定められた電圧は、グランド電圧、前記光電変換素子に印加されるバイアス電圧、及び前記基板に供給される電源電圧の何れかである、請求項１に記載の光電変換基板。
【請求項３】
前記導電体に印加される電圧は、予め定められた条件に応じて切り替えられる、請求項１または請求項２に記載の光電変換基板。
【請求項４】
前記導電体に印加される電圧は、前記光電変換基板を用いて放射線画像の撮影を行う場合は、前記導電体に前記バイアス電圧が印加されるように切り替えられる、請求項１から請求項３のいずれか１項に記載の光電変換基板。
【請求項５】
前記グランド電圧は、前記基板を収納する筐体のフレームのグランド電圧である、請求項１から請求項４のいずれか１項に記載の光電変換基板。
【請求項６】
前記導電体は、照射された光の予め定められた長波長成分を吸収する、請求項１から請求項５のいずれか１項に記載の光電変換基板。
【請求項７】
前記光電変換素子は、キナクリドンより成る有機光電変換素子である、請求項１から請求項６のいずれか１項に記載の光電変換基板。
【請求項８】
前記導電体は、光透過性を有する、請求項１から請求項７のいずれか１項に記載の光電変換基板。
【請求項９】
前記基板の前記スイッチング素子及び前記センサ部が設けられた表面と反対側の裏面に形成され、かつ、印加される電圧が前記予め定められた電圧に切り替えられる裏面導電体を備えた、請求項１から請求項８のいずれか１項に記載の光電変換基板。
【請求項１０】
前記裏面導電体と、前記導電体とが、電気的に接続された、請求項９に記載の光電変換基板。
【請求項１１】
前記請求項１から前記請求項１０のいずれか１項に記載の前記光電変換基板と、
前記光電変換基板の導電体上に設けられ、かつ、照射された放射線の線量に応じて発光する発光層と、
を備えた放射線検出器。
【請求項１２】
予め定められた条件に応じて、前記光電変換基板の前記導電体に印加される電圧を切り替える制御を行う制御手段を備えた、請求項１１に記載の放射線検出器。
【請求項１３】
前記発光層上に設けられ、かつ、前記発光層で発光した光を反射すると共に、印加される電圧が前記予め定められた電圧に切り替えられる反射層を備えた、請求項１１または請求項１２に記載の放射線検出器。
【請求項１４】
前記反射層と、前記光電変換基板の前記導電体と、が電気的に接続された、請求項１３に記載の放射線検出器。
【請求項１５】
前記発光層は、アルカリハライド系柱状結晶より成る、請求項１１から請求項１４のいずれか１項に記載の放射線検出器。
【請求項１６】
前記請求項１１から前記請求項１５のいずれか１項に記載の放射線検出器と、
放射線の照射に応じて前記放射線検出器で発生した電荷を読み出して、放射線画像を撮影する撮影手段と、
を備えた放射線画像撮影装置。
【請求項１７】
前記請求項１から前記請求項１０のいずれか１項に記載の光電変換基板の導電体に印加される電圧を予め定められた電圧に切り替える切替手段を備えた、光電変換基板。
【請求項１８】
前記切替手段は、グランド及び当該グランド以外の予め定められた電圧が供給される電圧源と接続されており、前記導電体に印加される電圧を前記グランドのグランド電圧及び前記電圧源から供給される予め定められた電圧のいずれかに切り替える、請求項１７に記載の光電変換基板。
【請求項１９】
前記請求項１１から前記請求項１５のいずれか１項に記載の放射線検出器に備えられた光電変換基板の導電体に印加される電圧を予め定められた電圧に切り替える切替手段を備えた、放射線検出器。
【請求項２０】
前記切替手段は、グランド及び当該グランド以外の予め定められた電圧が供給される電圧源と接続されており、前記導電体に印加される電圧を前記グランドのグランド電圧及び前記電圧源から供給される予め定められた電圧のいずれかに切り替える、請求項１９に記載の放射線検出器。
【請求項２１】
前記請求項１６に記載の放射線画像撮影装置に備えられた光電変換基板の導電体に印加される電圧を予め定められた電圧に切り替える切替手段を備えた、放射線画像撮影装置。
【請求項２２】
前記切替手段は、グランド及び当該グランド以外の予め定められた電圧が供給される電圧源と接続されており、前記導電体に印加される電圧を前記グランドのグランド電圧及び前記電圧源から供給される予め定められた電圧のいずれかに切り替える、請求項２１に記載の放射線画像撮影装置。
【発明の詳細な説明】
【技術分野】
【０００１】
本発明は、光電変換基板、放射線検出器、及び放射線画像撮影装置に係り、特に、放射線画像の撮影等に用いられる光電変換基板、放射線検出器、及び放射線画像撮影装置に関する。
【背景技術】
【０００２】
従来、放射線画像の撮影を行うための放射線画像撮影装置として、放射線照射装置から照射され、被写体を透過した放射線を放射線検出器により検出する放射線画像撮影装置が知られている。このような放射線画像撮影装置の放射線検出器として、照射された放射線を光に変換する蛍光体等のシンチレータと、シンチレータにより変換された光が照射されることにより電荷を発生する光電変換素子及び当該光電変換素子で発生した電荷を読み出すスイッチング素子を各々備えた画素により構成される光電変換基板と、を備えたものが知られている。
【０００３】
このような放射線検出器は、光電変換基板上にシンチレータが設けられるため、光電変換基板とシンチレータとの密着性を向上させるための技術が知られている。
【０００４】
例えば、特許文献１には、光電変換素子を保護する保護層と、シンチレータとの間に、熱伝導率が高くシンチレータとの接合力が強い金属層又は金属化合物層の分離防止層を設けることにより、保護層とシンチレータとを分離しにくくする技術が記載されている。
【０００５】
一方、放射線検出器では、外部の磁界ノイズや内部の静電気等の影響によって電位が不安定になると、スイッチング素子の電極や配線等も不安定になり、電気的にゆれが生じ、放射線画像に乱れを生じる場合がある。そのため、電位を安定化させる技術が知られている。
【０００６】
例えば、特許文献２には、光電変換素子を形成した光電変換パネル上に波長変換体と導電体層が配置されている放射線検出装置において、導電体層が光電変換パネルの定電位配線を通して一定電位に接続する技術が記載されている。
【先行技術文献】
【特許文献】
【０００７】
【特許文献１】特開２００１−７４８４６号公報
【特許文献２】特開２００４−２２６３１３号公報
【発明の概要】
【発明が解決しようとする課題】
【０００８】
光電変換基板の表面に上述のように表面処理を行う際に、光電変換基板の表面が帯電することにより、光電変換素子の静電破壊が引き起こされる場合がある。例えば、表面処理として、大気圧中でプラズマ処理を行う場合は、空気があるため帯電しづらく、静電破壊を引き起す恐れが少ないが、真空中でプラズマ処理を行う場合、帯電による静電破壊を引き起こす恐れが大きい。
【０００９】
また、表面処理を行う際だけではなく、光電変換基板の表面が帯電してしまうと、同様に静電破壊が引き起こされる場合がある。
【００１０】
また、光電変換基板の表面に設けた導電体等の金属を含む膜とセンサ部とによりコンデンサが形成されて電荷が蓄積されてしまい、放射線画像の画質を劣化させる可能性がある。
【００１１】
このように、光電変換基板の表面に形成された導電体の電位により、センサ部の静電破壊を引き起こしたり、放射線画像の画質の劣化を招いたりする等の問題が生じる場合がある。
【００１２】
本発明は上記問題点を解決するために成されたものであり、光電変換素子の静電破壊を防止することができると共に、導電体を任意の電圧に設定することができる、光電変換基板、放射線検出器、及び放射線画像撮影装置を提供することを目的とする。
【課題を解決するための手段】
【００１３】
上記目的を達成するために、本発明の光電変換基板は、基板上に形成されたスイッチング素子、及びスイッチング素子により照射された光に応じて発生した電荷が読み出される光電変換素子を含むセンサ部を各々備えた複数の画素と、スイッチング素子及びセンサ部が設けられた基板の表面を平坦化する平坦化層と、平坦化層上の全面に形成され、かつ、印加される電圧が予め定められた電圧に切り替えられる導電体と、を備える。
【００１４】
また、本発明の予め定められた電圧は、グランド電圧、光電変換素子に印加されるバイアス電圧、及び基板に供給される電源電圧の何れかであることが好ましい。
【００１５】
また、本発明の導電体に印加される電圧は、予め定められた条件に応じて切り替えられることが好ましい。
【００１６】
また、本発明の導電体に印加される電圧は、光電変換基板を用いて放射線画像の撮影を行う場合は、導電体に前記バイアス電圧が印加されるように切り替えられることが好ましい。
【００１７】
また、本発明のグランド電圧は、基板を収納する筐体のフレームのグランド電圧であることが好ましい。
【００１８】
また、本発明の導電体は、照射された光の予め定められた長波長成分を吸収することが好ましい。
【００１９】
一般に長波長成分は、短波長成分よりも屈折しづらく、隣接する画素に斜入光が入射する可能性が高い。このように隣接する画素に斜入光が入射すると、放射線画像に画像ボケが生じる要因となる。これに対して本発明では、導電体で照射された光の予め定められた長波長成分（例えば赤色光）を吸収することにより、当該長波長成分が隣接する画素に入射するのを抑制することができる。
【００２０】
また、本発明の光電変換素子は、キナクリドンより成る有機光電変換素子であることが好ましい。
【００２１】
また、本発明の導電体は、光透過性を有することが好ましい。
【００２２】
また、本発明は、基板のスイッチング素子及び前記センサ部が設けられた表面と反対側の裏面に形成され、かつ、印加される電圧が予め定められた電圧に切り替えられる裏面導電体を備える事が好ましい。
【００２３】
また、本発明は、裏面導電体と、導電体とが、電気的に接続されていてもよい。
【００２４】
本発明の放射線検出器は、本発明の光電変換基板と、光電変換基板の導電体上に設けられ、かつ、照射された放射線の線量に応じて発光する発光層と、を備える。
【００２５】
また、本発明は、予め定められた条件に応じて、光電変換基板の導電体に印加される電圧を切り替える制御を行う制御手段を備えてもよい。
【００２６】
また、本発明は、発光層上に設けられ、かつ、発光層で発光した光を反射すると共に、印加される電圧が予め定められた電圧に切り替えられる反射層を備えることが好ましい。
【００２７】
また、本発明は、反射層と、光電変換基板の導電体と、が電気的に接続されていてもよい。
【００２８】
また、本発明の発光層は、アルカリハライド系柱状結晶より成ることが好ましい。
【００２９】
本発明の放射線画像撮影装置は、本発明の放射線検出器と、放射線の照射に応じて前記放射線検出器で発生した電荷を読み出して、放射線画像を撮影する撮影手段と、を備える。
【００３０】
本発明の光電変換基板は、本発明の光電変換基板の導電体に印加される電圧を予め定められた電圧に切り替える切替手段を備える。
【００３１】
また、本発明の切替手段は、グランド及び当該グランド以外の予め定められた電圧が供給される電圧源と接続されており、導電体に印加される電圧を前記グランドのグランド電圧及び電圧源から供給される予め定められた電圧のいずれかに切り替えることが好ましい。
【００３２】
本発明の放射線画像撮影装置は、本発明の放射線検出器に備えられた光電変換基板の導電体に印加される電圧を予め定められた電圧に切り替える切替手段を備える。
【００３３】
また、本発明の切替手段は、グランド及び当該グランド以外の予め定められた電圧が供給される電圧源と接続されており、導電体に印加される電圧を前記グランドのグランド電圧及び電圧源から供給される予め定められた電圧のいずれかに切り替えることが好ましい。
【００３４】
本発明の放射線画像撮影装置は、本発明に記載の放射線画像撮影装置に備えられた光電変換基板の導電体に印加される電圧を予め定められた電圧に切り替える切替手段を備える。
【００３５】
また、本発明の切替手段は、グランド及び当該グランド以外の予め定められた電圧が供給される電圧源と接続されており、導電体に印加される電圧を前記グランドのグランド電圧及び前記電圧源から供給される予め定められた電圧のいずれかに切り替えることが好ましい。
【発明の効果】
【００３６】
このように、本発明によれば、光電変換素子の静電破壊を防止することができると共に、導電体を任意の電圧に設定することができる、という効果を有する。
【図面の簡単な説明】
【００３７】
【図１】本実施の形態に係る放射線画像撮影装置の全体構成の一例を示す構成図である。
【図２】本実施の形態に係るシンチレータの一例を示す概略構成図である。
【図３】本実施の形態に係る光電変換基板上の放射線検出器の１画素単位の構造の一例を示す平面図である。
【図４】図３に示した放射線検出器のＡ−Ａ線断面図である。
【図５】図３に示した放射線検出器のＢ−Ｂ線断面図である。
【図６】ＣｓＩ（Ｔｌ）の発光特性及びキナクリドンの吸収波長範囲を示すグラフである。
【図７】本実施の形態に係る放射線検出器に入射する短波長成分を説明するための説明図である。
【図８】本実施の形態に係る放射線検出器に入射する長波長成分を説明するための説明図である。
【図９】ＩＴＯの屈折率を示すグラフである。
【図１０】本実施の形態に係る切替部の一例の構造を示す構造図である。
【図１１】本実施の形態に係る放射線検出器の製造工程を説明するための説明図（断面図）である。
【図１２】本実施の形態に係る放射線検出器の製造工程の図１１に示した工程の次の工程を説明するための説明図（断面図）である。
【図１３】本実施の形態に係る導電体層及び反射層を設けた放射線検出器の一例を示す断面図である。
【発明を実施するための形態】
【００３８】
以下、各図面を参照して本実施の形態の一例について説明する。
【００３９】
本実施の形態の光電変換基板を備えた放射線検出器を用いた放射線画像撮影装置の概略構成について説明する。図１は、本実施の形態の光電変換基板を備えた放射線検出器を用いた放射線画像撮影装置の全体構成の一例を示す全体構成図である。なお、図１では、シンチレータ７０（詳細後述）の記載が省略されている。
【００４０】
本実施の形態に係る放射線画像撮影装置１００は、間接変換方式の放射線検出器１０と、スキャン信号制御装置１０４と、信号検出回路１０５と、制御装置１０６と、バイアス電源１１０と、を備えている。本実施の形態の放射線検出器１０は、光電変換基板６０及びシンチレータ７０を備えている。
【００４１】
まず、シンチレータ７０について説明する。本実施の形態のシンチレータ７０の一例の概略構成図を図２に示す。シンチレータ７０は、照射された放射線を光に変換して、光を出射する。すなわち、本実施の形態のシンチレータ７０は、照射された放射線の線量に応じて発光する機能を有している。
【００４２】
シンチレータ７０には、例えば、ＣｓＩ（Ｔｌ）、ＧＯＳ（Ｇｄ２Ｏ２Ｓ：Ｔｂ）、ＮａＩ：Ｔｌ（タリウム賦活ヨウ化ナトリウム）、ＣｓＩ：Ｎａ（ナトリウム賦活ヨウ化セシウム）からなる結晶を用いることができるが、シンチレータ７０は、これらの材料からなるものに限られるものではない。なお、これらのなかでも、発光スペクトルがａ−Ｓｉフォトダイオードの分光感度の極大値（５５０ｎｍ付近）と適合する点、及び、湿度による経時的な劣化が生じがたいという点で、ＣｓＩ（Ｔｌ）を用いてなるものが好ましい。
【００４３】
また、シンチレータ７０が発する光の波長域は、可視光域（波長３６０ｎｍ〜８３０ｎｍ）であることが好ましく、放射線画像検出器１０によってモノクロ撮像を可能とするためには、緑色の波長域（４９５ｎｍ〜５７０ｎｍ）を含んでいることがより好ましい。
【００４４】
シンチレータ７０に用いる蛍光体としては、具体的には、放射線としてＸ線を用いて撮像する場合、ヨウ化セシウム（ＣｓＩ）を含むものが好ましく、Ｘ線照射時の発光スペクトルが、例えば、４２０ｎｍ〜７００ｎｍにあるＣｓＩ（Ｔｌ）を用いることが特に好ましい。なお、ＣｓＩ（Ｔｌ）の可視光域における発光ピーク波長は５６５ｎｍである。
【００４５】
また発光効率等の観点から、柱状結晶、特にアルカリハライド系柱状結晶からなることが好ましい。本実施の形態では、具体的一例として、ＣｓＩ（Ｔｌ）の柱状結晶からなるシンチレータ７０を用いている。図２に示した本実施の形態のシンチレータ７０は、ＣｓＩ（Ｔｌ）の非柱状結晶から成る非柱状部７１と、柱状結晶から成る柱状部７２とにより構成されている。なお、非柱状部７１側が、光電変換基板６０側にあたる（図４、図５参照）。
【００４６】
柱状部７２においては、各柱状結晶内で光が発生し、効率よい発光が得られるとともに、柱状結晶の間隙が光のガイドとなって光拡散を抑制することで放射線画像のボケが抑制される。さらに、深部まで到達した光も、非柱状結晶からなる非柱状部７１において反射され、発光の検出効率が向上するとともに、光電変換基板６０との密着性が向上する。
【００４７】
図２に示すように、シンチレータ７０の柱状部７２の厚みをｔ１とし、非柱状部７１の厚みをｔ２としたとき、ｔ１とｔ２との関係が下記（１）式を満たすことが好ましい。
【００４８】
０．０１≦（ｔ２／ｔ１）≦０．２５  ・・・（１）
柱状部７２の厚みｔ１と非柱状部７１領域の厚みｔ２とが上記（１）式を満たすことで、シンチレータ７０の厚さ方向における発光効率、光の拡散防止及び光が反射される領域が好適な範囲となり、光の発光効率、光の検出効率と画像の解像度がより向上する。非柱状部７１の厚みｔ２が厚すぎる場合には、発光効率の低い領域が増え、感度の低下が懸念される。そのような観点から、（ｔ２／ｔ１）は０．０２以上０．１以下の範囲であることがより好ましい。
【００４９】
また、非柱状部７１の非柱状結晶の結晶径は０．２μｍ以上７．０μｍ以下であることが、効率的な反射を与える観点から好ましく、１．０μｍ以上６．０μｍ以下であることがより好ましい。また、非柱状結晶の結晶形状は、反射効率の観点から、略球状であることが好ましく、非柱状部７１は、球状に近い結晶(略球状結晶）の集合体で構成されることが好ましい。
【００５０】
次に、本実施の形態の光電変換基板６０について説明する。図１に示すように、本実施の形態の放射線検出器１０は、画素２０（画素領域２０Ａ）と、切替部５４と、内部電源５６とを備えている。また、本実施の形態の光電変換基板６０には、後述する上部電極、半導体層、及び下部電極を備え、照射された放射線をシンチレータ７０で変換した光を受けて電荷を蓄積するセンサ部１０３と、センサ部１０３に蓄積された電荷を読み出すためのＴＦＴスイッチ４と、を含んで構成される画素２０が２次元状（マトリックス状）に複数設けられている。
【００５１】
画素２０は、一方向（図１の走査配線方向、以下「行方向」ともいう）及び当該行方向に対する交差方向（図１の信号配線方向、以下「列方向」ともいう）にマトリクス状に複数配置されている。図１では、画素２０の配列を簡略化して示しているが、例えば、画素２０は行方向及び列方向に１０２４×１０２４個配置されている。以下では、画素２０が形成されている光電変換基板６０の領域を画素領域２０Ａという。
【００５２】
また、光電変換基板６０には、上記ＴＦＴスイッチ４をＯＮ／ＯＦＦするための複数の走査配線１０１と、上記センサ部１０３に蓄積された電荷を読み出すための複数の信号配線３と、が互いに交差して設けられている。
【００５３】
各信号配線３には、当該信号配線３に接続された何れかの画素２０のＴＦＴスイッチ４がＯＮされることによりセンサ部１０３に蓄積された電荷量に応じた電気信号が流れる。各信号配線３には、各信号配線３に流れ出した電気信号を検出する信号検出回路１０５が接続されており、各走査配線１０１には、各走査配線１０１にＴＦＴスイッチ４をＯＮ／ＯＦＦするためのスキャン信号を出力するスキャン信号制御装置１０４が接続されている。
【００５４】
信号検出回路１０５は、各信号配線３毎に、入力される電気信号を増幅する増幅回路（図示省略）を内蔵している。信号検出回路１０５では、各信号配線３より入力される電気信号を増幅回路により増幅して検出することにより、放射線画像を構成する各画素２０の情報として、各センサ部１０３に蓄積された電荷量を検出する。ここで電気信号の「検出」とは、電気信号をサンプリングすることを表している。
【００５５】
この信号検出回路１０５及びスキャン信号制御装置１０４には、信号検出回路１０５において検出された電気信号に所定の処理を施すとともに、信号検出回路１０５に対して信号検出のタイミングを示す制御信号を出力し、スキャン信号制御装置１０４に対してスキャン信号の出力のタイミングを示す制御信号を出力する制御装置１０６が接続されている。
【００５６】
また、光電変換基板６０には、画素２０のセンサ部１０３にバイアス電圧を印加するための共通電極配線２５が設けられており、共通電極配線２５は、バイアス電源１１０に接続されている。
【００５７】
さらに、本実施の形態の光電変換基板６０には、切替部５４及び内部電源５６が設けられている。内部電源５６は、光電変換基板６０上の各回路に、図示を省略した電源電圧配線により電源電圧を供給する機能を有している。また切替部５４は、導電膜３０に接続された接続配線５２の接続先をバイアス電源１１０（共通電極配線２５）、内部電源５６（電源配線５７）、及びグランド配線５９（筐体８０のフレームグランド：ＦＧＮＤ）のいずれかに接続するように、制御装置１０６から入力された制御信号に応じて切替える機能を有するものである（詳細後述）。
【００５８】
なお、本実施の形態の放射線画像撮影装置１００は、筐体８０に収納されている。筐体８０は、外部グランドに接続され、フレームグランドを形成する。
【００５９】
次に、図３〜図５を参照して、本実施の形態に係る光電変換基板６０についてさらに詳細に説明する。なお、図３には、本実施の形態に係る光電変換基板６０上の放射線検出器の１画素単位の構造を示す平面図が示されており、図４には、図３のＡ−Ａ線断面図が示されており、図５には、図３のＢ−Ｂ線断面図が示されている。なお、図３〜図５では、切替部５４及び接続配線５２の記載を省略している。
【００６０】
図４及び図５に示すように、本実施の形態の放射線検出器は、無アルカリガラス等からなる絶縁性の基板１上に、走査配線１０１、ゲート電極２が形成されており、走査配線１０１とゲート電極２は接続されている（図３参照）。走査配線１０１及びゲート電極２が形成された配線層（以下、この配線層を「第１信号配線層」ともいう。）は、Ａｌ若しくはＣｕ、またはＡｌ若しくはＣｕを主体とした積層膜を用いて形成されているが、これらに限定されるものではない。
【００６１】
この走査配線１０１及びゲート電極２上には、走査配線１０１及びゲート電極２を覆い一面に絶縁膜１５が形成されており、ゲート電極２上に位置する部位がＴＦＴスイッチ４におけるゲート絶縁膜として作用する。この絶縁膜１５は、例えば、ＳｉＮｘ 等からなっており、例えば、ＣＶＤ（Ｃｈｅｍｉｃａｌ  Ｖａｐｏｒ  Ｄｅｐｏｓｉｔｉｏｎ）成膜により形成される。
【００６２】
絶縁膜１５上のゲート電極２上には、半導体活性層８が島状に形成されている。この半導体活性層８は、ＴＦＴスイッチ４のチャネル部であり、例えば、アモルファスシリコン膜からなる。
【００６３】
これらの上層には、ソース電極９、及びドレイン電極１３が形成されている。このソース電極９及びドレイン電極１３が形成された配線層には、ソース電極９、ドレイン電極１３とともに、信号配線３、及び当該信号配線３と並行に共通電極配線２５が形成されている。ソース電極９は信号配線３に接続されている。信号配線３、ソース電極９、及び共通電極配線２５が形成された配線層（以下、この配線層を「第２信号配線層」ともいう。）は、Ａｌ若しくはＣｕ、またはＡｌ若しくはＣｕを主体とした積層膜が用いて形成されるが、これらに限定されるものではない。
【００６４】
このソース電極９及びドレイン電極１３と半導体活性層８との間にはコンタクト層（図示省略）が形成されている。このコンタクト層は、不純物添加アモルファスシリコン等の不純物添加半導体からなる。これらによりスイッチング用のＴＦＴスイッチ４が構成される。
【００６５】
そして、これら半導体活性層８、ソース電極９、ドレイン電極１３、信号配線３、及び共通電極配線２５を覆い、基板１上の画素２０が設けられた画素領域２０Ａのほぼ全面（ほぼ全領域）には、ＴＦＴ保護膜層１１が形成されている。このＴＦＴ保護膜層１１は、例えば、ＳｉＮｘ 等からなっており、例えば、ＣＶＤ成膜により形成される。
【００６６】
このＴＦＴ保護膜層１１上には、塗布型の層間絶縁膜１２が形成されている。この層間絶縁膜１２は、低誘電率（比誘電率εｒ＝２〜４）の感光性の有機材料（例えば、ポジ型感光性アクリル系樹脂：メタクリル酸とグリシジルメタクリレートとの共重合体からなるベースポリマーに、ナフトキノンジアジド系ポジ型感光剤を混合した材料等）により１〜４μｍの膜厚で形成されている。本実施の形態に係る放射線検出器１０では、この層間絶縁膜１２によって層間絶縁膜１２上層と下層に配置される金属間の容量を低く抑えている。また、一般的にこのような材料は平坦化膜としての機能も有しており、下層の段差が平坦化される効果も有する。これにより、上層に配置される半導体層６の形状が平坦化されるため、半導体層６の凹凸による吸収効率の低下や、リーク電流の増加を抑制することができる。この層間絶縁膜１２及びＴＦＴ保護膜層１１には、ドレイン電極１３と対向する位置、及び走査配線１０１が形成された領域の照射面側の位置に各々コンタクトホール１６、及びコンタクトホール２２Ａが形成されている。
【００６７】
層間絶縁膜１２上には、コンタクトホール１６を埋めつつ、画素領域２０Ａを覆うようにセンサ部１０３の下部電極１４が形成されており、この下部電極１４は、ＴＦＴスイッチ４のドレイン電極１３と接続されている。この下部電極１４は、後述する半導体層６が１μｍ前後と厚い場合には導電性があれば材料に制限がほとんどない。このため、Ａｌ系材料、ＩＴＯ（酸化スズインジウム）など導電性の金属を用いて形成すれば問題ない。
【００６８】
一方、半導体層６の膜厚が薄い場合（０．２〜０．５μｍ前後）、半導体層６での光の吸収が十分でないため、ＴＦＴスイッチ４への光照射によるリーク電流の増加を防ぐため、遮光性メタルを主体とする合金、もしくは積層膜とすることが好ましい。
【００６９】
下部電極１４上には、フォトダイオード（光電変換素子）として機能する半導体層６が形成されている。本実施の形態では、半導体層６として、ＰＩＮ構造のフォトダイオードを採用しており、下層からｎ＋層、ｉ層、ｐ＋層を順に積層して形成する。
【００７０】
なお、半導体層６は、有機光電変換素子とすることが好ましい。有機光電変換素子としては、シンチレータ７０で発光した光を最も効率良く吸収するために、その吸収ピーク波長が、シンチレータ７０の発光ピーク波長と近いほど好ましい。有機光電変換材料の吸収ピーク波長とシンチレータ７０の発光ピーク波長とが一致することが理想的であるが、双方の差が小さければシンチレータ７０から発された光を十分に吸収することが可能である。具体的には、有機光電変換材料の吸収ピーク波長と、シンチレータ７０の放射線に対する発光ピーク波長との差が、１０ｎｍ以内であることが好ましく、５ｎｍ以内であることがより好ましい。
【００７１】
このような条件を満たすことが可能な有機光電変換材料としては、例えば、キナクリドン系有機化合物及びフタロシアニン系有機化合物が挙げられる。図６に示すように、ＣｓＩ（Ｔｌ）は、発光ピーク波長が５６５ｎｍであるが、発光した光に幅広い波長域（４００ｎｍ〜７００ｎｍ）の光が含まれる。一方、キナクリドンは、４３０ｎｍ〜６２０ｎｍの波長域の光に対して感度を有する。キナクリドンの可視域における吸収ピーク波長は５６０ｎｍであるため、有機光電変換材料としてキナクリドンを用い、シンチレータ７０の材料としてＣｓＩ（Ｔｌ）を用いれば、上記ピーク波長の差を５ｎｍ以内にすることが可能となり、光電変換基板６０で発生する電荷量をほぼ最大にすることができる。そのため、半導体層６には、キナクリドンよりなる有機光電変換材料を用いることがより好ましい。
【００７２】
なお、本実施の形態では、下部電極１４を半導体層６よりも大きくしている。なお、半導体層６の膜厚が薄い場合（例えば、０．５μｍ以下の場合）には、ＴＦＴスイッチ４への光入射を防ぐ目的で、遮光性金属を配置してＴＦＴスイッチ４を覆うことが好ましい。
【００７３】
好ましくは、デバイス内部の光の乱反射によるＴＦＴスイッチ４への光進入を抑制するため、ＴＦＴスイッチ４のチャネル部から遮光性金属からなる下部電極１４の端部への間隔を５μｍ以上確保している。
【００７４】
層間絶縁膜１２及び半導体層６上には、各半導体層６部分で開口を持つように保護絶縁膜１７が形成されている。そして、半導体層６及び保護絶縁膜１７上には、少なくとも保護絶縁膜１７の開口部を覆うように上部電極７が形成されている。この上部電極７には、例えば、ＩＴＯやＩＺＯ（酸化亜鉛インジウム）等の光透過性の高い材料を用いている。本実施の形態では、上部電極７は、下層に配置された、上部電極７にバイアス電圧を供給するための共通電極配線２５と接続する導電部材も兼ねている。図５に示すように、共通電極配線２５は、第１の層間絶縁膜１２に設けられたコンタクトホール２２Ａを介して下部電極１４の層に形成されたコンタクトパッド２４と接続され、さらに保護絶縁膜１７に設けられたコンタクトホール２２Ｂ上を上部電極７で覆うことで、上部電極７と共通電極配線２５とが電気的に接続されている。なお、上部電極７と、共通電極配線２５に接続する導電部材とは別層の金属で形成してもかまわない。
【００７５】
また、上部電極７及び保護絶縁膜１７上には、表面を平坦化するための平坦化層１８が形成されている。平坦化層１８は、絶縁層であり、例えば、ＳｉＮｘ 等よりなっており、１μｍ〜１０μｍの厚みを有している。さらに、平坦化された平坦化層１８の上には、導電膜３０が形成されている。本実施の形態の導電膜３０は、帯電防止機能を有しており、特に、光電変換基板６０上にシンチレータ７０を形成する場合に光電変換基板６０（導電膜３０）の表面に表面処理を施す際等にグランドと接続することにより、光電変換基板６０（導電膜３０）の表面が帯電するのを防止する機能を有している。光電変換基板６０（導電膜３０）の表面が帯電すると、光電変換基板６０のセンサ部１０３が静電破壊を引き起こす場合がある。そのため、本実施の形態の導電膜３０は、平坦化層１８の全面（略全面も含む）、本実施の形態では画素領域２０Ａの全面にわたり、形成されている。導電膜３０の材質としては、ＩＴＯや有機導電性ポリマーフィルム等が挙げられる。導電膜３０の膜厚及び抵抗値は、帯電防止機能の観点から定められる。具体的一例としては、膜厚は数十ｎｍ〜数百ｎｍ、抵抗値は１０１０Ω以下が挙げられる。なお、本実施の形態において抵抗値は、ＡＳＴＭ  Ｄ  ２５７規格に準拠して測定した値を用いている。
【００７６】
なお、本実施の形態の導電膜３０は、接続配線５２により、切替部５４に接続されている（図１参照）。本実施の形態では、導電膜３０と、接続配線５２とは、一体的に形成されている。導電膜３０は、切替部５４により、接続配線５２を介して接続先がバイアス電源１１０、内部電源５６、及びグランド（筐体８０のＦＧＮＤ以外の場合も含む）に切替えられることにより、任意の電圧（バイアス電圧、電源電圧、及びグランド電圧）のいずれかが印加される。
【００７７】
また、本実施の形態の導電膜３０は、シンチレータ７０の発光波長の長波長成分の一部を吸収する機能を有している。光電変換基板６０（導電膜３０）に斜入光が入射すると、隣の画素２０で受光され易い。図７に示すように、短波長成分（例えば、青色光や緑色光）は、屈折しやすいため、隣接する画素２０のセンサ部１０３で受光されないが、図８に示すように、長波長成分（例えば、赤色光）は、屈折し難いため、隣接する画素２０のセンサ部１０３で受光され易く、画像ボケが生じる場合がある。
【００７８】
また、図９に導電膜３０の具体的一例であるＩＴＯの屈折率を示すが、シンチレータ７０の具体的一例である、ＣｓＩの発光域においては、ＩＴＯの屈折率はＣｓＩの屈折率（１．７７）と殆ど変わらない。ＣｓＩの発光のピーク波長は５５０ｎｍであり、このときのＩＴＯの屈折率は〜１．７５なので、略同一とみなせる。従って、斜入光でもピーク波長域では、材料差による屈折は生じずに進むことになる。本実施の形態の導電膜３０は、このような斜入光となる長波長成分をカットする機能を有している。そのため、本実施の形態の導電膜３０では、長波長成分をカットするための着色剤を混入している。具体的一例としては、図６に示したキナクリドンの吸収波長領域外の長波長成分（赤色光：波長６２０ｎｍ〜７５０ｎｍ）をカットする場合は、シアン系の着色剤を混入すればよい。無機青色顔料としては、ウルトラマリン青、及びプロシア青（フェロシアン化鉄カリ）等が挙げられる。また、有機青色顔料としては、フタロシアニン、アントラキノン、インジゴイド、及びカルボニウム等が挙げられる。なお、放射線検出器１０をＩＳＳ方式（表面読取方式）とする場合、無機着色剤は、有機着色剤よりも原子番号が大きく放射線を吸収しやすいため、シンチレータ７０により多くの放射線を到達させるためには、有機着色剤の方が好ましい。
【００７９】
なお、赤色光は、少しでも吸収することが好ましい。画素２０のサイズが小さい（例えば、１００μｍ以下）場合、より隣の画素２０で斜入光が受光され易くなる危険性が高まるため、着色剤の混入量を増加させて赤色光の吸収率を向上させることが好ましい。そのため、画素２０のサイズ等に応じて、着色剤の混入量を定めるようにすることが好ましい。
【００８０】
また、着色剤としては、顔料、染料等が挙げられる。なお、顔料は樹脂中に粒子として存在し、一方、染料は樹脂に溶融して存在する。なお、長波長成分をよりカットするために、平坦化層１８にも上述の着色剤を混入するようにしてもよい。
【００８１】
次に、本実施の形態の切替部５４の構成について説明する。図１０に、本実施の形態の切替部５４の一例の概略構成図を示す。本実施の形態では具体的一例として、スイッチング素子により切替部５４を構成している。スイッチング素子としては、例えば、ＭＯＳトランジスタ等が挙げられる。当該スイッチング素子は、制御装置１０６から入力される制御信号に応じて、接続配線５２の接続先を、バイアス電源１１０（共通電極配線２５）、内部電源５６（電源配線５７）、及びグランド（主に筐体８０のＦＧＮＤ）（グランド配線５９）のいずれかに切替える。
【００８２】
本実施の形態では、放射線画像撮影装置１００の動作モードに応じて、予め、導電膜３０に印加する電圧（任意の電圧）が定められており、当該任意の電圧が印加されるように、制御装置１０６が制御信号を切替部５４に出力する。
【００８３】
本実施の形態の光電変換基板６０では、導電膜３０とセンサ部１０３との間に絶縁層である平坦化層１８が設けられているため、平坦化層１８、導電膜３０、及びセンサ部１０３によりコンデンサが形成されてしまい、蓄積された電荷の影響や、導電膜３０の電位が不安定になることの影響等により、放射線画像の画質が劣化する場合がある。そのため、本実施の形態では、一例として、放射線画像の撮影モードであり、画質を重視する場合は、切替部５４により、導電膜３０とバイアス電源１１０とを接続するように切替える。また例えば、省電力モード（次回の撮影までの間等）の場合は、導電膜３０と内部電源５６とを接続するように切替える。また例えば、帯電防止等のシールド性を重視する場合は、導電膜３０とグランド（筐体８０のＦＧＮＤ）とを接続するように切替える。なお、これらに限らず、その他の条件やモードに応じて、導電膜３０の接続先を適宜切替えるように制御してもよい。また、本実施の形態では、放射線検出器１０の製造時における表面処理等の際の帯電防止の観点から、放射線検出器１０の製造中は、導電膜３０をグランドに接続するようにしている。なおこの場合は、光電変換基板６０（放射線検出器１０）の外部のグランドであれば、特に限定されない。
【００８４】
次に、本実施形態に係る放射線検出器１０の画素２０部分の製造工程の一例を説明する。
【００８５】
本実施の形態では、基板１上に、第１信号配線層として、ゲート電極２、走査配線１０１を形成し、第１信号配線層を形成する。次に、第１信号配線層上に、絶縁膜１５、半導体活性層８、コンタクト層（図示省略）を順次堆積し、その後、半導体活性層８と不純物添加半導体によるコンタクト層を絶縁膜１５に対し選択的にドライエッチングすることにより半導体活性領域を形成する。次に、絶縁膜１５、及び半導体活性層８の上層に、第２信号配線層として、信号配線３、ソース電極９、ドレイン電極１３、共通電極配線２５を形成する。さらにドライエッチ法にて、コンタクト層と半導体活性層８の一部を除去しチャネル領域を形成する。
【００８６】
さらに、ＴＦＴ保護膜層１１及び層間絶縁膜１２を順次形成する。ＴＦＴ保護膜層１１及び層間絶縁膜１２は無機材料単体の場合や、無機材料からなる保護絶縁膜と有機系材料からなる層間絶縁膜の積層により形成する場合や、有機系からなる層間絶縁膜単層により形成する場合がある。本実施の形態では、下層の共通電極配線２５と下部電極１４間との静電容量を抑制する一方で、ＴＦＴスイッチ４の特性を安定させるため感光性の層間絶縁膜１２と無機材料からなるＴＦＴ保護膜層１１の積層構造としている。次に、フォトリソグラフィー技術によりＴＦＴ保護膜層１１をパターンニングする。なお、ＴＦＴ保護膜層１１を配置しない場合には、このステップは必要ない。
【００８７】
また、上記の層の上層にＡｌ系材料もしくはＩＴＯ等の金属材料をスパッタリング法により堆積し、パターンニングを行い下部電極１４を形成する。次に、半導体層６を形成する。半導体層６が有機光電変換材料である場合は、例えば、ＣＶＤ法により形成すればよい。膜厚は３０ｎｍ以上、３００ｎｍ以下が好ましく、より好ましくは、５０ｎｍ以上、２５０ｎｍ以下、特に好ましくは８０ｎｍ以上、２００ｎｍ以下である。また、無機光電変換材料である場合は、ＣＶＤ法で下層より順にｎ＋、ｉ、ｐ＋の各層を堆積して半導体層６を形成する。膜厚は、例えばそれぞれｎ＋層５０〜５００ｎｍ、ｉ層０．２〜２μｍ、ｐ＋層５０〜５００ｎｍである。半導体層６は各層を順に積層してフォトリソグラフィー技術により、半導体層６をパターンニングし、ドライエッチ、もしくはウェットエッチによる下層の層間絶縁膜１２との選択エッチすることにより完成する。なお、ｎ＋、ｉ、ｐ＋の順で積層するのではなく、ｐ＋、ｉ、ｎ＋の順で積層し、ＰＩＮダイオードとしてもかまわない。
【００８８】
次に、ＣＶＤ法等で、半導体層６を覆うようにＳｉＮｘ膜からなる保護絶縁膜１７を堆積し、パターンニングし、開口部を形成する。ここでは、一例としてＣＶＤ成膜のＳｉＮｘを記載したが、絶縁材料であれば適用でき、ＳｉＮｘに限定するものではない。次に、上部電極７及び共通電極配線２５との接続部位を形成する。上部電極７及び共通電極配線２５との接続部位は上記のようにして形成された層の上層に、ＩＴＯ等の透明電極材料をスパッタリング法により堆積し、パターンニングにより上部電極７を形成する。
次に、ＣＶＤ法等で、上部電極７及び保護絶縁膜１７を覆うようにＳｉＮｘ膜からなる平坦化層１８を堆積し、半導体層６等により生じている表面の凹凸を平坦化する。ここでは、一例としてＣＶＤ成膜のＳｉＮｘを記載したが、絶縁材料であれば適用でき、ＳｉＮｘに限定するものではない。さらに、平坦化層１８上の導電膜３０と、接続配線５２とを、ＩＴＯ等の透明導電材料を用いてスパッタリング法により形成する。導電膜３０の膜厚は、数十ｎｍ〜数百ｎｍ以下、抵抗値は１０１０Ω以下が好ましい。なお、導電膜３０の上に、さらに、保護膜等を設けてもよい。なお、本実施の形態では、このようにして、形成された画素２０（画素領域２０Ａ）の表面に形成された導電膜３０は、切替部５４に接続されるように形成されている。このようにして、光電変換基板６０が形成される。
【００８９】
光電変換基板６０が形成されると、次の工程では、図１１に示すように、切替部５４により接続配線５２をグランドに接続した状態、すなわち、導電膜３０を切替部５４を介してグランドに接続した状態で、光電変換基板６０（導電膜３０）の表面に、シンチレータ７０の密着性を向上させるための前処理として、表面処理を施す。表面処理としては、例えば、真空プラズマ処理や大気圧プラズマ処理、及びコロナ放電処理等が挙げられる。このように表面処理を行う際、導電膜３０を切替部５４を介してグランドに接続しておくことにより、表面処理によって導電膜３０の表面に生じた電荷がグランドに流れるため、導電膜３０が帯電するのを防止することができる。従って、光電変換基板６０のセンサ部１０３の静電破壊を防止することができる。なお、表面処理としては、シンチレータ７０との密着性をより向上させられることから、真空プラズマ処理を行うことが好ましい。
【００９０】
次に、表面処理を施した光電変換基板６０の導電膜３０上に、シンチレータ７０を形成する。本実施の形態では、光電変換基板６０（導電膜３０）上に、真空蒸着等を用いて気相堆積法により、直接ＣｓＩ（Ｔｌ）より成るシンチレータ７０を形成する。本実施の形態では、光電変換基板６０上に結晶相を形成する際、まず、非柱状部７１が形成され、続いて柱状部７２が形成される。なお、図１２に示すように本実施の形態では、シンチレータ７０を形成する工程においても、上述の表面処理を行う工程（図１１参照）と同様に、導電膜３０を切替部５４を介してグランドに接続した状態で行っている。当該工程においては、導電膜３０を切替部５４を介してグランドに接続した状態で行うことは必須ではないが、帯電による静電破壊の防止の観点からは、導電膜３０を切替部５４を介してグランドに接続した状態で行うことが好ましい。
【００９１】
本実施の形態では、このようにして放射線検出器１０が完成する。
【００９２】
以上、説明したように本実施の形態の放射線検出器１０の光電変換基板６０は、基板１上に形成されたＴＦＴスイッチ４及びセンサ部１０３の上面が平坦化層１８により平坦化されており、当該平坦化層１８の略全面（本実施の形態では画素領域２０Ａの全面）に帯電防止機能を有する導電膜３０が形成されている。導電膜３０は、接続配線５２と一体的に形成されており、切替部５４に接続されている。また、切替部５４は、制御装置１０６から入力される制御信号に応じて、接続配線５２の接続先を、バイアス電源１１０、内部電源５６、及びグランド（筐体８０のＦＧＮＤを含む）のいずれかに切り替える。また、光電変換基板６０（導電膜３０）の上には、シンチレータ７０が形成されており、シンチレータ７０は、光電変換基板６０に近い方から非柱状部７１及び柱状部７２を備えている。
【００９３】
このように本実施の形態では、導電膜３０が切替部５４によりグランドに接続可能に構成されているため、シンチレータ７０との密着性を向上させるための光電変換基板６０（導電膜３０）の表面に対する表面処理を、導電膜３０をグランドに接続した状態で行うことができる。表面処理により生じ出た電荷がグランドに流れるため、光電変換基板６０（導電膜３０）の帯電を防止することができる。従って、帯電による、センサ部１０３の静電破壊を防止することができる。また、帯電を防止することができるため、表面処理として真空プラズマ処理を用いることができるため、光電変換基板６０とシンチレータ７０との密着性をより向上させることができる。
【００９４】
また、切替部５４により、接続配線５２の接続先を切り替えることにより、導電膜３０に印加される電圧を任意の電圧とすることができ、導電膜３０を任意の電圧に固定（クランプ）することができる。すなわち、本実施の形態の光電変換基板６０を備えた放射線検出器１０では、センサ部１０３の静電破壊を防止することができると共に、導電膜３０を任意の電圧に設定することができる。
【００９５】
従って、放射線画像撮影装置１００の状態や、モードに応じて、最適な電位圧に導電膜３０をクランプすることができるため、より理想的な状態に放射線検出器１０を近づけることができる。
【００９６】
なお、図１３に示すように、さらに光電変換基板６０の基板１の裏面（ＴＦＴスイッチ４や半導体層６等が設けられていない裏面側）に導電層９０を設けるようにしてもよい。導電層９０は、光電変換基板６０（放射線検出器１０）の表面に電荷が滞留することを防止する帯電防止機能を有している。導電層９０の材質としては、ＩＴＯや有機導電性ポリマーフィルム等が挙げられる。また、導電層９０の膜厚及び抵抗値は、帯電防止機能の観点から定めればよい。なお、導電膜３０略同様の構成としてもよい。導電層９０が形成されるタイミングは特に限定されないが、シンチレータ７０を形成する際に光電変換基板６０の表面が帯電するのを防止する場合は、シンチレータ７０の形成前に、基板１の裏面に形成しておくようにする。導電層９０は、画素領域２０Ａに対応する領域を覆うことが好ましく、より好ましくは、導電膜３０と同等以上の大きさである。また、基板１の裏面全体を覆うように形成してもよく、その大きさは、帯電防止機能の観点から定めればよい。
【００９７】
導電層９０には、導電膜３０と同様に、任意の電圧が印加される。本実施の形態では、導電層９０は、導電膜３０に電気的に接続されている。具体的には、図１３に示すように、接続配線５２Ａにより接続配線５２に接続されている。これにより、導電層９０と導電膜３０とは、任意の電圧に固定されて同電位となる。従って、より、センサ部１０３の静電破壊を防止することができる。
【００９８】
また、図１３に示すように、さらに導電層９０のシンチレータ７０（柱状部７２）上に、反射層９２を設けるようにしてもよい。反射層９２は、シンチレータ７０で発光した光を光電変換基板６０側に反射する機能を有している。また、本実施の形態の反射層９２は、放射線検出器１０の表面に電荷が滞留することを防止する帯電防止機能を有している。反射層９２の材質としては、Ａｌ等の放射線透過性がよく、かつ光反射率が高い金属材料が好ましい。また、反射層９２の膜厚及び抵抗値は、帯電防止機能の観点から定めればよい。反射層９２は、少なくともシンチレータ７０の上面を覆うように形成されている。なお、反射層９２は、シンチレータ７０の側面を覆うように形成されるようにしてもよく、その大きさは、反射機能や帯電防止機能の観点から定めればよい。
【００９９】
反射層９２には、導電膜３０と同様に、任意の電圧が印加される。本実施の形態では、反射層９２は、導電膜３０に電気的に接続されている。具体的には、図１３に示すように、接続配線５２Ｂにより接続配線５２に接続されている。これにより、反射層９２と導電膜３０とは、任意の電圧に固定されて同電位となる。従って、より、センサ部１０３の静電破壊を防止することができる。
【０１００】
なお、図１３では図示を省略したが、反射層９２とシンチレータ７０との間や反射層９２の上に、ＰＥＴ（ポリエチレンテレフタレート）等の保護層を形成してもよい。また、図１３では、導電層９０及び反射層９２共に図示したが、いずれか一方のみを設けるように構成してもよいことはいうまでもない。
【０１０１】
また、上記本実施の形態では、光電変換基板６０にシンチレータ７０を直接蒸着により形成する場合について説明したがこれに限らず、別途形成したシンチレータ７０を、接着樹脂等を用いて光電変換基板６０に貼りあわせるようにしてもよい。このように貼りあわせる場合においても、密着性の向上等のために光電変換基板６０（導電膜３０）の表面に表面処理を行う際には、上述と同様に、導電膜３０を切替部５４によりグランドに接続することにより、帯電を防止することができ、センサ部１０３の静電破壊を防止することができる。
【０１０２】
また、上記本実施の形態では、切替部５４が光電変換基板６０に備えられている場合について詳細に説明したがこれに限らず、例えば、放射線検出器１０の他の箇所に設けられていてもよいし、放射線画像撮影装置１００の筐体８０内に備えられている他の基板上に設けられていてもよく、その場所は特に限定されない。この場合、例えば、切替部５４がグランドや、バイアス電源と接続されており、制御装置１０６等からの指示により、上述の各モード等に応じて選択的に、導電膜３０の接続先を切り替えるように構成すればよい。
【０１０３】
また、任意の電圧は、上述のものに限らず、例えば、シグナルグランド等であってもよく、放射線画像撮影装置１００の仕様に応じて定められてもよい。
【０１０４】
また、上記本実施の形態では、光電変換基板６０を用いたが、フレキシブル基板を用いてもよい。フレキシブル基板としては、近年開発されたフロート法による超薄板ガラスを基材として用いたものを適用することが、放射線の透過率を向上させるうえで好ましい。なお、この際に適用できる超薄板ガラスについては、例えば、「旭硝子株式会社、"フロート法による世界最薄０．１ミリ厚の超薄板ガラスの開発に成功"、[online]、[平成２３年８月２０日検索]、インターネット＜ＵＲＬ：http://www.agc.com/news/2011/0516.pdf
その他、上記本実施の形態で説明した切替部５４、光電変換基板６０、放射線検出器１０、及び放射線画像撮影装置１００等の構成、動作等は一例であり、本発明の主旨を逸脱しない範囲内において状況に応じて変更可能であることは言うまでもない。
【０１０５】
また、上記本実施の形態で説明した放射線は、特に限定されるものではなく、Ｘ線やγ線等を適用することができる。
【０１０６】
なお、本発明は、センサ部１０３に半導体層６を用いた場合について説明したがこれに限らず、ＣＭＯＳセンサを適用することもできる。
【符号の説明】
【０１０７】
４  ＴＦＴスイッチ
１０  放射線検出器
３０  導電膜（導電体）
３４  グランド接続端子
５４  切替部
６０  光電変換基板
７０  シンチレータ
９０  導電層（裏面導電体）
９２  反射層
１００  放射線画像撮影装置
１０３  センサ部
【図１】
2013065825.tif 000003
【図２】
2013065825.tif 000004
【図３】
2013065825.tif 000005
【図４】
2013065825.tif 000006
【図５】
2013065825.tif 000007
【図６】
2013065825.tif 000008
【図７】
2013065825.tif 000009
【図８】
2013065825.tif 000010
【図９】
2013065825.tif 000011
【図１０】
2013065825.tif 000012
【図１１】
2013065825.tif 000013
【図１２】
2013065825.tif 000014
【図１３】
2013065825.tif 000015